(57)【要約】【課題】 犬（動物）の体毛に便を付着させないで便尿を確実に収受する収受袋を設けて、該収受袋が敏速に着脱できる装着性に優れる排泄物回収収受具を提供することと、該収受袋をコストの少ないレジ袋を利用して作成する方法を提供する。【解決手段】  図１において、犬（動物）に前肢を挿通して常時装着する巻装体１０と、後肢を挿通して排泄の都度交換する収受袋２０を、ナスカン１４で互いに張架係止して構成する排泄物回収収受具とする。ナスカン１４は背部紐部材１３をあらかじめ調整しておいて、収受袋１０との間で適度に張架される状態にセットされているので、収受袋１０の交換の際はナスカン１４の係合を着脱するだけで、適度な力で犬（動物）の便が漏れ出さないように拘束される。収受袋１０はレジ袋の一部にガゼットを形成して熱融着し、係合穴を加工して作成することができる（図５参照）。【選択図】図１
2016208932.tif 000002
【特許請求の範囲】
【請求項１】
排泄物収受袋を作成する方法であって、レジ袋の一方の側面にガゼット折り目を設けて開口縁部近傍で接着あるいはヒートシールにて重着し、レジ袋の他方の側面の開口縁部近傍に係止部材を配設する排泄物収受袋の作成方法。
【請求項２】
一方の側面の左右稜線からレジ袋側面幅の略４分の１の位置に、２か所のガゼット折り目の中折れ線を設けて、接着あるいはヒートシールにて重着する請求項１に記載の排泄物収受袋の作成方法。
【請求項３】
レジ袋の他方の側面の開口近傍内面に係止部材として剥離紙付き両面粘着テープを配設する請求項１および請求項２に記載の排泄物収受袋の作成方法。
【請求項４】
レジ袋の他方の側面の舌片近傍に係止部材としてリング状部材を配設する請求項１および請求項２に記載の排泄物収受袋の作成方法。
【請求項５】
請求項３に記載する方法で作成する排泄物収受袋の剥離紙を取り除いて犬（動物）の体毛に両面粘着テープで粘着し、排便のつど該体毛から該両面粘着テープを剥いで交換する排泄物収受袋で構成する排泄物回収収受具。
【請求項６】
ナスカンあるいは両面粘着テープの被接着面を被係止部材として配設し、左右の前肢を個々に挿通して犬（動物）に常時装着するホルダーと、排便のつど被係止部材と係止部材の係合を解除して交換する請求項３または請求項４に記載する方法で作成する排泄物収受袋と、で構成する排泄物回収収受具。
【請求項７】
ナスカンあるいは両面粘着テープの被粘着面を被係止部材として配設し、犬（動物）の体毛に接着剤で接着して犬（動物）に常時装着するホルダーと、排便のつど被係止部材と係止部材の係合を解除して交換する請求項３または請求項４に記載する方法で作成する排泄物収受袋と、で構成する排泄物回収収受具。
【請求項８】
犬（動物）の左右前肢付根部を周回する一対のループ状下紐部材と、排泄物収受袋の被係止部材と、該一対の下紐部材および該被係止部材を連架するループ状背部紐部材と、該被係止部材と一体あるいは該被係止部材に当接して配設し、背部紐部材のループを拡縮結束するループ拡縮結束手段と、背部紐部材あるいは下紐部材に接続分離可能な連結手段と、を設けてホルダーを構成することを特徴とする請求項６に記載の排泄物回収収受具。
【発明の詳細な説明】
【技術分野】
【０００１】
本発明は、雄犬（動物）の便、雌犬（動物）の便尿を収受する排泄物収受袋の作成方法と排泄物回収収受具に関するものである。
【背景技術】
【０００２】
従来市販されている犬又は猫の紙オムツは、尿と便を外部に漏らさないようガードする構造であり、便だけを外部に出す時は、紙オムツの尻尾穴にある切り込み部分を切り取り、便を外部に出せるようになっている。これは、尿を吸収するという点においては問題がないように思われる。しかし便の場合、紙オムツの中にするか、外部に出すという選択肢があるが、いずれにしろ後始末に大きな問題が生じる。紙オムツの中で排便して体毛に便が付いてしまうと浴室などで洗い流さなければならず、後始末に大変手間がかかる。
【先行技術文献】
【特許文献】
【０００３】
【特許文献１】特許公開２００５−１５１９６３
【特許文献２】特許公開２０１３−７０６９０
【発明の概要】
【発明が解決しようとする課題】
【０００４】
老犬の尿意は飼い主に把握できても、便意を把握することは難しく１日に数回漏らしてしまう期間が長く継続する。特に室内犬のばあい、便を衛生的に処理できれば飼い主の精神的負担は激減する。しかしながら従来技術では次のような問題点があった。
（イ）臀部を包み込む紙オムツは尾の短い種類や垂れ下がった種類の犬（動物）に装着するとずれ落ちやすい。
（ロ）紙オムツは排泄前か否か目視での判断が難しい。紙オムツの中で排便すると犬（動物）の体毛に付着した汚物の後処理が面倒で不衛生である。複数の使用済み紙オムツは形状的にかさばるため保管のために密閉式の容積の大きい特別な入れ物が必要になる。
（ハ）１日あたり４、５回交換が必要な乳児用と同等の犬（動物）用オムツを継続的に使用するとコスト負担が大きく、日常消費材として好適とは言い難い。
（ニ）特許公開２０１３−７０６９０のように、四肢を挿通し体全体を覆う服に設けたポケットに便を収受する袋を取り付けるものは、四肢の間隔が狭いと装着できず、広すぎると排泄物収受袋の位置が安定しない。個体ごとに異なる四肢さらに尾の配置に最適な状態に製作することは困難であり、汎用性に乏しく高価になる。
（ホ）四肢を挿通し犬（動物）の体全体を覆って装着する服は、夏場の環境では犬（動物）に与えるストレスが大きい。
（へ）特許公開２００５−１５１９６３のように、紙オムツを切り欠いて排泄物収受袋を両面テープで装着するものは、紙オムツが動かないように犬の体に何らかの手段で固定しないかぎり、肛門と開口部の位置を一致させることは難しく、排泄される便を袋の内部に収納するのは困難である。
（ト）特許公開２０１３−７０６９０や特許公開２００５−１５１９６３の場合、排泄物収受袋の開口部を強制的に広げて支持するものではないので、肛門と開口部の位置を合わせても、排泄初期の便の重量で開口部に歪みを生じることは避けられず、継続して排泄される便を終始確実に収納することは困難である。
【０００５】
本発明は、上記した従来の問題点に鑑みてなされたものであって、コストのかからないレジ袋で犬（動物）の便尿を確実に収受する排泄物収受袋の作成方法と、排泄物回収収受具の提供を目的とする。
【課題を解決するための手段】
【０００６】
請求項１では、レジ袋の一方の側面にガゼット折り目を設けて開口縁部近傍で接着あるいはヒートシールにて重着し、レジ袋の他方の側面の開口縁部近傍に係止部材を配設することで、市販のレジ袋から排泄物収受袋を作成する方法とした。
【０００７】
請求項２では、一方の側面の左右稜線から側面幅の略４分の１の位置に、２か所のガゼット折り目の中折れ線を設けて、接着あるいはヒートシールにて重着することで、市販のレジ袋から排泄物収受袋を作成する方法とした。
【０００８】
請求項３では、レジ袋の他方の側面の開口近傍内面に係止部材として剥離紙付き両面粘着テープを配設する排泄物収受袋を作成する方法とした。
【０００９】
請求項４では、レジ袋の他方の側面の舌片近傍に係止部材としてリング状部材を配設する排泄物収受袋を作成する方法とした。
【００１０】
請求項５では請求項３に記載の排泄物収受袋の剥離紙を取り除いて犬（動物）のからだに両面粘着テープで粘着し、排便のつど該体毛から該両面粘着テープを剥いで交換する排泄物収受袋で構成する排泄物回収収受具とした。
【００１１】
請求項６ではナスカンあるいは両面粘着テープの被接着面を被係止部材として配設し、左右の前肢を個々に挿通して犬（動物）に常時装着するホルダーと、排便のつど被係止部材と係止部材の係合を解除して交換する請求項３または請求項４に記載する方法で作成する排泄物収受袋と、で構成する排泄物回収収受具とした。
【００１２】
請求項7ではナスカンあるいは両面粘着テープの被粘着面を被係止部材として配設し、犬（動物）の体毛に接着剤で接着して犬（動物）に常時装着するホルダーと、排便のつど被係止部材と係止部材の係合を解除して交換する請求項３または請求項４に記載する方法で作成する排泄物収受袋と、で構成する排泄物回収収受具とした。
【００１３】
請求項８では犬（動物）の左右前肢付根部を周回する一対のループ状下紐部材と、排泄物収受袋の被係止部材と、該一対の下紐部材および該被係止部材を連架するループ状背部紐部材と、該被係止部材と一体あるいは該被係止部材に当接して配設し、背部紐部材のループを拡縮結束するループ拡縮結束手段と、背部紐部材あるいは下紐部材に接続分離可能な連結手段と、を設けてホルダーを構成する請求項６に記載の排泄物回収収受具とした。
【発明の効果】
【００１４】
排泄物収受袋にレジ袋を使用することができるので安価であり日常消費材として好適である。犬（動物）の体全体を覆ったり、体に密着させたりしないので犬（動物）のストレスが少なくなる。レジ袋はさまざまな規格サイズの製品が上市されており、犬（動物）の個体にフィットするものをショッピングセンターで安価に入手することができる。むろん日常の買い物で入手し、これまでごみとして廃棄してきたレジ袋を再利用することもできる。規格サイズの製品が犬（動物）の個体に適合しない場合は排泄物回収収受具専用のレジ袋を製造することも可能である。
【００１５】
請求項１において、一方の側面にガゼット折り目を形成して手提げ輪部の間隔を狭くしたので、レジ袋の上部開口に余分なたるみがない状態で後肢股間にフィットして、犬（動物）の便が排泄時に肛門から落下する際、レジ袋の上部開口から外に漏れ出すことなくレジ袋の底部に収受することができる排泄物収受袋の作成方法である。排泄物収受袋で犬（動物）の臀部全体を覆うので、排泄のつど犬（動物）の尾を避けて装着したり収受袋の開口部と肛門との位置合わせをして装着したりする必要がなく、装着作業が容易な排泄物収受袋の作成方法である。排泄物収受袋の中に尿の吸収シートを適量裁断するなどして設置しておけば、雌の犬（動物）の場合は便だけでなく尿まで回収できる排泄物収受袋の作成方法である。
【００１６】
請求項２において、一方の側面の左右稜線から側面幅の略４分の１の位置に、２か所のガゼット折り目の中折れ線を設けて、接着またはヒートシールにて重着し、レジ袋の他方の側面の舌片あるいは開口縁部に係止部材を配設したので、レジ袋の手提げ輪部の輪開口は犬（動物）後肢の付け根部股間幅と略同等の距離をおいた配置となり、レジ袋の上部開口の余分なたるみがない状態で股間にフィットするだけでなく、ガゼット折り目を２か所に分散することにより排泄物収受袋内部でのガゼット折り目の突出部分が減少して犬（動物）に装着するときに邪魔になりにくくい排泄物収受袋の作成方法である。
【００１７】
請求項３では、レジ袋の他方の側面の開口近傍内面に係止部材として剥離紙付き両面粘着テープを配設し、排泄物収受袋の着脱の際は両面粘着テープを貼り付けたり、剥がしたりする操作で容易に着脱することができる排泄物収受袋の作成方法である。
【００１８】
請求項４では、レジ袋の他方の側面の舌片近傍に係止部材としてリング状部材を配設し、排泄物収受袋の着脱の際はリング状部材とナスカンを係合したり係合を解除したりする操作で容易に着脱することができる排泄物収受袋の作成方法である。
【００１９】
請求項５において、請求項３による方法で作成する排泄物収受袋を使用して犬（動物）の後肢を挿通する２か所の輪開口と両面粘着テープの係止部材の計３箇所で排泄物収受袋を拘束するので、装着後の該排泄物収受袋はずれ動きにくく定位置に安定した形状を保つことができる。犬（動物）の背部の体毛に直接粘着テープで貼り付けるので、首輪の装着時に首輪と干渉することがなく、犬（動物）の大きさや体形に影響されずに装着できて汎用性が高い排泄物回収収受具である。
【００２０】
請求項６においてナスカンあるいは両面粘着テープの被接着面を被係止部材として配設し、左右の前肢を個々に挿通して犬（動物）に常時装着するホルダーと、排便のつど被係止部材と係止部材の係合を解除して交換する請求項３または請求項４に記載する方法で作成する排泄物収受袋と、で構成する排泄物回収収受具であり、排泄物収受袋は係止部材を介して前肢および後肢により拘束されるので、犬（動物）に装着された該排泄物収受袋はずれ動きにくく定位置に安定した形状を保つことができる。排泄物収受袋の着脱の際はリング状部材とナスカンを係合したり係合を解除したりする操作で容易に着脱することができる排泄物回収収受具である。
【００２１】
請求項7ではナスカンあるいは両面粘着テープの被粘着面を被係止部材として配設し、犬（動物）の体毛に接着剤で接着して犬（動物）に常時装着するホルダーと、排便のつど被係止部材と係止部材の係合を解除して交換する請求項３または請求項４に記載する方法で作成する排泄物収受袋と、で構成する排泄物回収収受具であり、犬（動物）の後肢を挿通する２か所の輪開口とナスカンあるいは両面粘着テープによる係止部材の計３箇所で排泄物収受袋を拘束することになるので、犬（動物）に装着された該排泄物収受袋はずれ動きにくく定位置に安定した形状を保つことができる。また犬（動物）の体毛に接着してしまうホルダーは、首輪の装着時に排泄物回収収受具のホルダーと干渉することがなく、犬（動物）の大きさや体形に影響されずに装着できるので、汎用性が高い。排便後、体毛に汚物が付着しないので、浴室で洗い流すなどの後処理を必要とせず、飼い主の精神的負担を減らすことができる排泄物回収収受具である。
【００２２】
請求項５、請求項６、請求項７において、便はレジ袋の底に堆積するので、便が犬（動物）の体に付着することがない排泄物回収収受具である。排泄後はレジ袋が便の重量で垂れ下がるので一目瞭然であり、排泄直後に処理することができる。排泄後は袋自体を縛って開口部を塞ぐことができるので、匂いが外気に放出されず素手のままで衛生的に処理することができて、形状的にも紙オムツのようにかさばらないので特別な保管容器を必要としない。室内や公共の場所を汚すことなく犬（動物）の便を回収し処理することができる排泄物回収収受具である。
【００２３】
請求項６の排泄物回収収受具において、四肢を挿通して装着する排泄物回収収受具でありながら、被係止部材位置の調節によって前肢と後肢の間に適度な張力を付与して装着することができるので、余分なたるみによって装着位置が不安定になったり、過度な張力が作用したりして犬（動物）に不快なストレスを加えることなどがなく、排泄物収受袋を定位置に安定して装着させることができる排泄物回収収受具である。
【００２４】
請求項８の排泄物回収収受具において、犬（動物）の左右前肢付根部を周回する一対のループ状下紐部材と、排泄物収受袋の被係止部材と、該一対の下紐部材および該被係止部材を連架するループ状背部紐部材と、該被係止部材と一体あるいは該被係止部材に当接して配設し、背部紐部材のループを拡縮結束するループ拡縮結束手段と、背部紐部材あるいは下紐部材に接続分離可能な連結手段と、を設けてホルダーを構成したので、背部紐部材のループを拡縮結束することで被係止部材の位置が好適に調節される。単純で安価な部材の組み合わせである。犬（動物）の全身を覆ったり、密着したりすることがないので、夏場の環境で犬（動物）にストレスを加えにくい排泄物回収収受具である。
【図面の簡単な説明】
【００２５】
【図１】本発明の請求項１と請求項４に記載する排泄物収受袋の作成方法を示す実施例１の斜視図である。
【図２】排泄物収受袋を作成する前の公知のレジ袋の構造を示す斜視図である。
【図３】本発明の請求項２と請求項４に記載する排泄物収受袋の作成方法を示す実施例２の斜視図である。
【図４】請求項３に記載の排泄物収受袋の作成方法を示す実施例３の斜視図であると同時に、請求項５に記載の排泄物回収収受具の実施形態に係る実施例１を示す斜視図である。
【図５】本発明の請求項６と請求項８に記載する排泄物回収収受具の実施形態に係る実施例２を示す説明図である。
【図６】本発明の請求項６と請求項８に記載する排泄物回収収受具の実施形態に係る実施例２のホルダーの展開図である。
【図７】本発明の請求項５に記載する排泄物回収収受具の実施形態に係る実施例１の説明図である。
【図８】本発明の請求項７に記載する排泄物回収収受具の実施形態に係る実施例４の説明図である。
【図９】紐止め具の断面の説明図である。
【発明を実施するための形態】
【００２６】
レジ袋から簡単な方法で排泄物収受袋を作成し、排泄物収受袋を用いる排泄物回収収受具を犬（動物）に装着することによって便を回収する。以下、本発明の実施の形態を図面に基づいて説明する。
【００２７】
この排泄物収受袋２０の作成に用いるレジ袋は、図２に示すように合成樹脂シートチューブを原材料とし、該チューブの両側部を中折れさせてガゼット折り目２６Ａ，２６Ｂと稜線２９（Ｅ，Ｄ）、３０（Ｅ，Ｄ）を形成したのちにチューブ芯方向に所定間隔をおいてヒートシールし、ヒートシール箇所の外側を切断することで得られる。その際、上側のヒートシール部２３を中央部分で切り取って両側のヒートシール部２３Ａ，２３Ｂを残すことにより、上部開口２８を有し底部がヒートシール部２２となった袋本体２１と、上部開口２８の両側部から上方に延びる２つの手提げ輪部２４Ａ，２４Ｂとが形成される。また、手提げ輪部２４Ａ，２４Ｂはそれぞれ輪開口２５Ａ，２５Ｂを有している。図示する一方の側面３０の手提げ輪部２４Ａ，２４Ｂ間に存する開口縁部３０（Ａ，Ｂ）には舌片３０Ｃが形成され、図示する他方の側面２９の手提げ輪部２４Ａ，２４Ｂ間に存する開口縁部２９（Ａ，Ｂ）には舌片２９Ｃが形成されている。図示する寸法は関東規格３０号のレジ袋の場合の規定値である。当該寸法から該規格のレジ袋の上部開口２８を全開にして広げるときの周長は、全幅２６０ｍｍの２倍の数値にガゼット折り目幅の７０ｍｍの４倍の数値を加えた計８００ｍｍになる。かかるレジ袋としては、排泄物回収収受具専用に製造した袋のみならず、例えばスーパーマーケットなどで購入した商品を持ち帰る際に用いられるレジ袋を利用してもよい。
【００２８】
図１は、本発明請求項１のレジ袋から排泄物収受袋を作成する方法の実施例１の斜視図である。図１（ａ）は図２のレジ袋にガゼット折り目を設ける前の状態の斜視図であり、図１（ｂ）は図２のレジ袋にガゼット折り目と係止部材を設けてレジ袋の上部開口を広げた状態の斜視図である。図２のレジ袋から請求項１に記載の図１（ｂ）の排泄物収受袋２０を作成する方法は、図１（ａ）に示すレジ袋の一方の側面３０の中央にガゼット折り目の中折れ線Ｑ１を設け、手提げ輪部２４（Ａ，Ｂ）の間の開口縁部３０（Ａ，Ｂ）近傍で稜線３０Ｅ、または稜線３０Ｄと中折れ線Ｑ１間に両面粘着テープ３０Ｇを貼り付けた後、一方の側面３０を重着して図１（ｂ）のガゼット折り目Ｑ１を形成する。ガゼット折り目Ｑ１形成後の手提げ輪部２４（Ａ，Ｂ）は上部開口２８を広げることにより図１（ａ）の状態から反転してヒートシール部２３Ａ，２３Ｂは表裏が入れ替わっている。手提げ輪部２４（Ａ，Ｂ）の位置は図１（ｂ）の排泄物収受袋２０の幅Ｗ１の位置まで接近するので幅Ｗ１が犬（動物）の股間幅にフィットするよう考慮して規格サイズを適宜選定する。レジ袋の他方の側面２９の舌片２９Ｃ近傍に請求項４に記載の係止部材としてビニタイを結束して形成する図１（ａ）に示すリング状部材３３を粘着テープ３２で固設する。両面粘着テープ３０Ｇのかわりに接着剤あるいはヒートシールで重着してもよい。また係止部材として請求項３に記載の剥離紙付き両面粘着テープ（図４参照）を用いてもよい。かかる方法で作られる排泄物収受袋２０では図２に示す寸法のレジ袋の場合、一方の側面の幅２６０ｍｍ分の周長がガゼット折り目Ｑ１により消滅しており上部開口２８の全周長は８００ｍｍから５４０ｍｍに減少する。よって関東規格３０号のレジ袋による排泄物収受袋２０を装着する犬（動物）の胴回りの周長Ｌ（図５（ａ）参照）は５４０ｍｍ以下でなければならないが、実用的には７０ｍｍほどの余裕を設けて略４７０ｍｍ以下が好適な数値となる。
【００２９】
図３は、本発明請求項２のレジ袋から排泄物収受袋を作成する方法の実施例２の斜視図である。図３（ａ）は図２のレジ袋の片側のみガゼット折り目を設ける斜視図であり、図３（ｂ）は図２のレジ袋にガゼット折り目と係止部材を設けてレジ袋の上部開口を広げた状態の斜視図である。図３（ａ）において、レジ袋の一方の側面３０に形成する舌片３０Ｃに両面粘着テープ３１を添着し、ガゼット折り目の中折れ線Ｓ１、Ｓ２から両側の稜線３０（Ｅ，Ｄ）を矢印Ｐ１、Ｐ２のごとく折り込んで２か所のガゼット折り目を設け、該両面粘着テープ３１に一方の側面３０の一部を重着するか、該両面粘着テープ３１の部分をヒートシールする。中折れ線Ｓ１、Ｓ２はレジ袋の全幅２６０の４分の１すなわち稜線３０（Ｅ，Ｄ）から６５ｍｍの位置に設ける。かかる方法で作られる排泄物収受袋２０排泄物収受袋２０の他方の側面２９の舌片２９Ｃに請求項４の係止部材としてビニタイを結束して形成するリング状部材３３を粘着テープ３２で固設する。
【００３０】
図３（ｂ）において、手提げ輪部２４Ａ，２４Ｂはレジ袋外側の稜線３０（Ｅ，Ｄ）が内側になり幅Ｗ２の位置まで接近している。幅Ｗ１が犬（動物）の股間幅にフィットするよう考慮してレジ袋の大きさを適宜選択する。実施例１の排泄物収受袋２０に比べてガゼット折り目の幅が減少するので犬（動物）に装着するとき邪魔になりにくい利点がある。
【００３１】
以下に、本発明の別の実施形態を図面に基づいて説明する。図４は図３（ａ）と同様の方法でガゼット折り目を設ける方法で作成した排泄物収受袋２０であり、レジ袋の他方の側面２９の開口縁部２９（Ａ，Ｂ）近傍に、請求項３に記載の係止部材として剥離紙付き両面粘着テープ３４を配設する排泄物収受袋２０の実施例３の作成方法である。また図４は排泄物収受袋２０単体でありながら排泄物回収収受具１の実施例１としての装着前の形態である。本発明の実施形態に係る排泄物回収収受具１の実施例１による装着の手順は、図４の一方の側面３０を下に他方の側面２９を上にして床に置き、犬（動物）の左の後肢を上部開口２８側から輪開口２５Ａに挿通し、右の後肢を輪開口２５Ｂ（図示しない）にそれぞれ挿通し、舌片２９Ｃを持ち上げながら犬（動物）の臀部を覆い、両面粘着テープ３４の剥離紙をはがして、犬（動物）の背部に直接貼り付けて（図７参照）装着することができる。
【００３２】
以下に、本発明の別の実施形態を図面に基づいて説明する。図５は、本発明請求項２の請求項６および請求項８に記載の実施形態に係る排泄物回収収受具１の実施例２の説明図である。図５（ａ）は図３（ｂ）の方法で作成した排泄物収受袋２０を犬（動物）に装着する排泄物回収収受具を示す説明図であり、図５（ｂ）は図５（ａ）の上方から見る説明図である。図５（ａ）において、ホルダー１０を犬（動物）２のキ甲５付近から周回して左右の前肢６を個々に挿通して装着しており、犬（動物）の背部に被係止部材として公知のナスカン１４を配設する。排泄物収受袋２０は犬（動物）の臀部４を覆い、一方の輪開口２５Ａに左後肢７を挿通しており、図５（ａ）の反対の側面では他方の輪開口２５Ｂ（図示しない）に右後肢を挿通する。図５（ｂ）によると排泄物収受袋２０の開口縁部２９Ａに連設して形成する舌片２９Ｃに固設する係止部材のリング状部材３３を、ホルダー１０に配設する被係止部材のナスカン１４で係止して構成している。
【００３３】
図６は本発明の実施形態に係る排泄物回収収受具１の実施例２におけるホルダー１０の展開図であり、犬（動物）の左右前肢付根部を周回する一対のループ状下紐部材１１Ａ、１１Ｂと、被係止部材の公知のナスカン１４と、該下紐部材１１Ａ、１１Ｂおよび該被係止部材を連架するループ状背部紐部材１３と、前記下紐部材１１Ａ、１１Ｂに接続分離可能な連結手段として配設される公知のナスカン１２（Ａ，Ｂ）と、前記背部紐部材１３に配設されるループ拡縮結束手段の公知の紐止め具１５と、で構成している。図９は公知の紐止め具１５断面の説明図であり、紐止め具１５の穴に挿通して背部紐部材１３を結束し、バネ１５Ｃの力でスライド部材１５Ｂの穴１５Ｂ１と本体１５Ａの穴１５Ａ１の穴位置をずらすことによって背部紐部材１３のループを拡縮拘束する公知の構造である。ナスカン１４と紐止め具１５は同体にして構成することもできる。
【００３４】
本発明の実施形態に係る排泄物回収収受具１の実施例２の装着手順は、図６のホルダー１０の紐止め具１５を背部紐部材１３の端部１３（Ａ，Ｂ）側に引き寄せて背部紐部材１３のループ部分の長さを拡張し、下紐部材１１Ａ，１１Ｂの間隔を広げて図５（ａ）のように犬（動物）の左右の前肢を挿通する。該前肢挿通後に紐止め具１５から端部１３（Ａ，Ｂ）を引っぱり、下紐部材１１Ａ，１１Ｂの間隔を狭めて紐止め具１５で仮止めする。排泄物収受袋２０を実施例１と同様の手順で犬（動物）の臀部を覆い、ホルダー１０の被係止部材のナスカン１４に排泄物収受袋２０の被係止部材のリング状部材３３を係合する。再び紐止め具１５から端部１３（Ａ，Ｂ）を引っ張りながら背部紐部材１３のループ長さを縮小し、ナスカン１４の位置を前肢側に引き寄せることによってホルダー１０と排泄物収受袋２０の間にわずかに張力を生じる状態を創出し、背部紐部材１３に結び目１３Ｃを設けて紐止め具１５から抜け出ないように締着する。緊急時にホルダー１０を外すことが必要なときは下紐部材１１Ａ，１１Ｂのナスカン１２Ａまたは１２Ｂのいずれかを外せば、背部紐部材１３の結び目１３Ｃを装着のつど結びなおす事態を回避できる。
【００３５】
以下に、本発明の別の実施形態を図面に基づいて説明する。図８は本発明の請求項７に記載の実施形態に係る排泄物回収収受具１の実施例３であり、被係止部材として両面粘着テープの被粘着面１０Ａを配設して犬（動物）の背部に常時装着するホルダー１０と、排便のつど係止部材の係合を解除して交換する実施例３の排泄物収受袋２０である。ホルダーの素材は通気性を確保するための繊維質の織物あるいは不織布と、両面粘着テープの被粘着性を確保するためのビニールシートを重ねて重着した複合素材であり、背部への接着は瞬間接着剤で犬（動物）の体毛の所定範囲を直接ホルダーに接着する。
【００３６】
ホルダー側に図６のナスカン１４のかわりに目玉クリップで係止する排泄物回収収受具は、単に被係止部材の部材を変更したにすぎず本件請求の範囲内である。一方の側面のガゼット折り目をレジ袋の外に形成してガゼット折り目を欠成したり、該ガゼット折り目のかわりに舌片を含む開口縁部を縛着したりして、上部開口の周長を減少させて双方の手提げ輪部を近づけることは本件請求の範囲内である。請求項７の常時装着するホルダーについては、公知の犬（動物）用首輪に被係止部材を設けるなどさまざまな手法が考えられるが、左右の前肢を個々に挿通して被係止部材が定位置に配設されるホルダーはすべて本件請求の範囲内である。
【産業上の利用可能性】
【００３７】
犬（動物）の介護施設のみならず、さまざまな動物を公共の場所で披露したり、公道を移動させたりする際に排泄物回収収受具として適用できる。
【符号の説明】
【００３８】
１  排泄物回収収受具
２  犬（動物）
１０  ホルダー
１４  ナスカン
１５  紐止め具
２０  排泄物収受袋
２２  ヒートシール部
２３Ａ，２３Ｂ  ヒートシール部
２４Ａ，２４Ｂ  手提げ輪部
２８  上部開口
２９  他方の側面
２９Ｃ  他方の側面の舌片
２９Ｅ，Ｄ２９  他方の側面の稜線
３０  一方の側面
３０Ｃ  一方の側面の舌片
３０Ｅ，３０Ｄ  一方の側面の稜線
３１  両面粘着テープ
３２  粘着テープ
３３  リング状部材
３４  剥離紙付き両面粘着テープ
Ｋ    ガゼット折り目の稜線の幅
Ｌ    犬（動物）の胴回りの周長
Ｐ１，Ｐ２  矢印
Ｑ１  ガゼット折り目の中折れ線
Ｓ１  ガゼット折り目の中折れ線
Ｓ２  ガゼット折り目の中折れ線
Ｗ１  手提げ輪部の外側の幅
Ｗ２  手提げ輪部の外側の幅
【図１】
2016208932.tif 000003
【図２】
2016208932.tif 000004
【図３】
2016208932.tif 000005
【図５】
2016208932.tif 000006
【図７】
2016208932.tif 000007
【図８】
2016208932.tif 000008
【図９】
2016208932.tif 000009
【図４】
2016208932.tif 000010
【図６】
2016208932.tif 000011
【手続補正書】
【提出日】平成27年6月2日(2015.6.2)
【手続補正１】
【補正対象書類名】特許請求の範囲
【補正対象項目名】全文
【補正方法】変更
【補正の内容】
【特許請求の範囲】
【請求項１】
排泄物収受袋を作成する方法であって、レジ袋の一方の側面を中折れさせて開口縁部近傍の所定範囲をヒートシールしてガゼット折り目を形成し、レジ袋の他方の側面の開口縁部近傍に係止手段を配設する排泄物収受袋の作成方法。
【請求項２】
一方の側面の左右稜線から該側面幅の略４分の１の位置を中折れさせて、開口縁部近傍の所定範囲をヒートシールして２か所のガゼット折り目を形成する請求項１に記載の排泄物収受袋の作成方法。
【請求項３】
レジ袋の他方の側面の開口近傍内面に剥離紙付き両面粘着テープを係止手段として配設する請求項１および請求項２に記載の排泄物収受袋の作成方法。
【請求項４】
レジ袋の他方の側面の舌片近傍に係止手段として係合穴を配設する請求項１および請求項２に記載の排泄物収受袋の作成方法。
【請求項５】
請求項３に記載する方法で作成する排泄物収受袋の両面粘着テープの剥離紙を取り除いて犬（動物）の体毛に該両面粘着テープで粘着し、排便のつど該体毛から該両面粘着テープを剥いで交換する排泄物収受袋で構成する排泄物回収収受具。
【請求項６】
排泄物収受袋の係止手段と係合する被係止手段を配設し、犬（動物）のキ甲付近から周回して左右の前肢を個々に挿通して被装し常時装着するホルダーと、排便のつど係止手段の係合を解除して交換する請求項３または請求項４に記載する方法で作成する排泄物収受袋と、で構成する排泄物回収収受具。
【請求項７】
被係止手段を配設し、犬（動物）の体毛に接着剤で接着して犬（動物）のキ甲付近に常時装着するホルダーと、排便のつど係止手段の係合を解除して交換する請求項３または請求項４に記載する方法で作成する排泄物収受袋と、で構成する排泄物回収収受具。
【請求項８】
犬（動物）の左右前肢付根部を周回する一対のループ状下紐部材と、被係止手段として配設するナスカンと、該一対の下紐部材および該ナスカンを連架するループ状背部紐部材と、該ナスカンと一体あるいは該ナスカンに当接して配設し、背部紐部材のループを拡縮結束するループ拡縮結束手段と、背部紐部材あるいは下紐部材に接続分離可能な連結手段と、を設けてホルダーを構成することを特徴とする請求項６に記載の排泄物回収収受具。
【手続補正２】
【補正対象書類名】明細書
【補正対象項目名】全文
【補正方法】変更
【補正の内容】
【発明の詳細な説明】
【技術分野】
【０００１】
本発明は、雄犬（動物）の便、雌犬（動物）の便尿を収受する排泄物収受袋の作成方法と排泄物回収収受具に関するものである。
【背景技術】
【０００２】
従来市販されている犬又は猫の紙オムツは、尿と便を外部に漏らさないようガードする構造であり、便だけを外部に出す時は、紙オムツの尻尾穴にある切り込み部分を切り取り、便を外部に出せるようになっている。これは、尿を吸収するという点においては問題がないように思われる。しかし便の場合、紙オムツの中にするか、外部に出すという選択肢があるが、いずれにしろ後始末に大きな問題が生じる。紙オムツの中で排便して体毛に便が付いてしまうと浴室などで洗い流さなければならず、後始末に大変手間がかかる。
【先行技術文献】
【特許文献】
【０００３】
【特許文献１】特許公開２００５−１５１９６３
【特許文献２】特許公開２０１３−７０６９０
【発明の概要】
【発明が解決しようとする課題】
【０００４】
老犬の尿意は飼い主に把握できても、便意を把握することは難しく１日に数回漏らしてしまう期間が長く継続する。特に室内犬のばあい、便を衛生的に処理できれば飼い主の精神的負担は激減する。しかしながら従来技術では次のような問題点があった。
（イ）臀部を包み込む紙オムツは尾の短い種類や垂れ下がった種類の犬（動物）に装着するとずれ落ちやすい。
（ロ）紙オムツは排泄前か否か目視での判断が難しい。紙オムツの中で排便すると犬（動物）の体毛に付着した汚物の後処理が面倒で不衛生である。複数の使用済み紙オムツは形状的にかさばるため保管のために密閉式の容積の大きい特別な入れ物が必要になる。
（ハ）１日あたり４、５回交換が必要な乳児用と同等の犬（動物）用オムツを継続的に使用するとコスト負担が大きく、日常消費材として好適とは言い難い。
（ニ）特許公開２０１３−７０６９０のように、四肢を挿通し体全体を覆う服に設けたポケットに便を収受する袋を取り付けるものは、四肢の間隔が狭いと装着できず、広すぎると排泄物収受袋の位置が安定しない。個体ごとに異なる四肢さらに尾の配置に最適な状態に製作することは困難であり、汎用性に乏しく高価になる。
（ホ）四肢を挿通し犬（動物）の体全体を覆って装着する服は、夏場の環境では犬（動物）に与えるストレスが大きい。
（へ）特許公開２００５−１５１９６３のように、紙オムツを切り欠いて排泄物収受袋を両面テープで装着するものは、紙オムツが動かないように犬の体に何らかの手段で固定しないかぎり、肛門と開口部の位置を一致させることは難しく、排泄される便を袋の内部に収納するのは困難である。
（ト）特許公開２０１３−７０６９０や特許公開２００５−１５１９６３の場合、排泄物収受袋の開口部を強制的に広げて支持するものではないので、肛門と開口部の位置を合わせても、排泄初期の便の重量で開口部に歪みを生じることは避けられず、継続して排泄される便を終始確実に収納することは困難である。
【０００５】
本発明は、上記した従来の問題点に鑑みてなされたものであって、コストのかからないレジ袋で犬（動物）の便尿を確実に収受する排泄物収受袋の作成方法と、排泄物回収収受具の提供を目的とする。
【課題を解決するための手段】
【０００６】
請求項１では、レジ袋の一方の側面を中折れさせて開口縁部近傍の所定範囲をヒートシールしてガゼット折り目を形成し、レジ袋の他方の側面の開口縁部近傍に係止手段を配設することで、排泄物収受袋を作成する方法とした。
【０００７】
請求項２では、一方の側面の左右稜線から該側面幅の略４分の１の位置を中折れさせて、開口縁部近傍の所定範囲をヒートシールして２か所のガゼット折り目を形成することで、市販のレジ袋から排泄物収受袋を作成する方法とした。
【０００８】
請求項３では、レジ袋の他方の側面の開口近傍内面に剥離紙付き両面粘着テープを係止手段として配設する排泄物収受袋を作成する方法とした。
【０００９】
請求項４では、レジ袋の他方の側面の舌片近傍に係止手段として係合穴を配設する排泄物収受袋を作成する方法とした。
【００１０】
請求項５では請求項３に記載の排泄物収受袋の剥離紙を取り除いて犬（動物）のからだに両面粘着テープで粘着し、排便のつど該体毛から該両面粘着テープを剥いで交換する排泄物収受袋で構成する排泄物回収収受具とした。
【００１１】
請求項６では排泄物収受袋の係止手段と係合する被係止手段を配設し、犬（動物）のキ甲付近から周回して左右の前肢を個々に挿通して被装し常時装着するホルダーと、排便のつど係止手段の係合を解除して交換する請求項３または請求項４に記載する方法で作成する排泄物収受袋と、で構成する排泄物回収収受具とした。
【００１２】
請求項７では被係止手段を配設し、犬（動物）の体毛に接着剤で接着して犬（動物）のキ甲付近に常時装着するホルダーと、排便のつど交換する請求項３または請求項４に記載する方法で作成する排泄物収受袋と、で構成する排泄物回収収受具とした。
【００１３】
請求項８では犬（動物）の左右前肢付根部を周回する一対のループ状下紐部材と、被係止手段として配設するナスカンと、該一対の下紐部材および該ナスカンを連架するループ状背部紐部材と、該ナスカンと一体あるいは該ナスカンに当接して配設し、背部紐部材のループを拡縮結束するループ拡縮結束手段と、背部紐部材あるいは下紐部材に接続分離可能な連結手段と、を設けてホルダーを構成することを特徴とする請求項６に記載の排泄物回収収受具とした。
【発明の効果】
【００１４】
排泄物収受袋にレジ袋を使用することができるので安価であり日常消費材として好適である。犬（動物）の体全体を覆ったり、体に密着させたりしないので犬（動物）のストレスが少なくなる。レジ袋はさまざまな規格サイズの製品が上市されており、犬（動物）の個体にフィットするものをショッピングセンターで安価に入手することができる。むろん日常の買い物で入手し、これまでごみとして廃棄してきたレジ袋を再利用することもできる。規格サイズの製品が犬（動物）の個体に適合しない場合は排泄物回収収受具専用のレジ袋を製造することも可能である。
【００１５】
請求項１において、一方の側面にガゼット折り目を形成して手提げ輪部の間隔を狭くしたので、レジ袋の上部開口に余分なたるみがない状態で後肢股間にフィットして、犬（動物）の便が排泄時に肛門から落下する際、レジ袋の上部開口から外に漏れ出すことなくレジ袋の底部に収受することができる排泄物収受袋の作成方法である。排泄物収受袋で犬（動物）の臀部全体を覆うので、排泄のつど犬（動物）の尾を避けて装着したり収受袋の開口部と肛門との位置合わせをして装着したりする必要がなく、装着作業が容易な排泄物収受袋の作成方法である。排泄物収受袋の中に尿の吸収シートを適量裁断するなどして設置しておけば、雌の犬（動物）の場合は便だけでなく尿まで回収できる排泄物収受袋の作成方法である。
【００１６】
請求項２において、一方の側面の左右稜線から側面幅の略４分の１の位置に、２か所のガゼット折り目の中折れ線を設けてヒートシールしたので、レジ袋の手提げ輪部の輪開口は犬（動物）後肢の付け根部股間幅と略同等の距離をおいた配置となり、レジ袋の上部開口の余分なたるみがない状態で股間にフィットするだけでなく、ガゼット折り目を２か所に分散することにより排泄物収受袋内部でのガゼット折り目の突出部分が減少して犬（動物）に装着するときに邪魔になりにくい排泄物収受袋の作成方法である。
【００１７】
請求項３では、レジ袋の他方の側面の開口近傍内面に剥離紙付き両面粘着テープを係止手段として配設し、排泄物収受袋の着脱の際は両面粘着テープを貼り付けたり、剥がしたりする操作で容易に着脱することができる排泄物収受袋の作成方法である。
【００１８】
請求項４では、レジ袋の他方の側面の舌片近傍に係止手段として係合穴を配設し、排泄物収受袋の着脱の際は該係合穴とナスカンを係合したり係合を解除したりする操作で容易に着脱することができる排泄物収受袋の作成方法である。
【００１９】
請求項５において、請求項３による方法で作成する排泄物収受袋を使用するとき、犬（動物）の後肢を挿通する２か所の輪開口と両面粘着テープの計３箇所で排泄物収受袋を拘束するので、装着後の該排泄物収受袋はずれ動きにくく定位置に安定した形状を保つことができる。犬（動物）の背部の体毛に直接粘着テープで貼り付けるので、首輪の装着時に首輪と干渉することがなく、犬（動物）の大きさや体形に影響されずに装着できて汎用性が高い排泄物回収収受具である。
【００２０】
請求項６において排泄物収受袋の係止手段と係合する被係止手段を配設し、犬（動物）のキ甲付近から周回して左右の前肢を個々に挿通して被装し常時装着するホルダーと、排便のつど交換する請求項３または請求項４に記載する方法で作成する排泄物収受袋と、で構成する排泄物回収収受具であり、排泄物収受袋は係止手段を介して前肢および後肢により適宜緊張状態で拘束されるので、犬（動物）に装着された該排泄物収受袋はずれ動きにくく定位置に安定した形状を保つことができる。排泄物収受袋の着脱の際は係止手段で係合したり係合を解除したりする操作で容易に着脱することができる排泄物回収収受具である。
【００２１】
請求項7では被係止手段を配設し、犬（動物）の体毛に接着剤で接着して犬（動物）のキ甲付近に常時装着するホルダーと、排便のつど係止手段の係合を解除して交換する請求項３または請求項４に記載する方法で作成する排泄物収受袋と、で構成する排泄物回収収受具であり、犬（動物）の後肢を挿通する２か所の輪開口と係止手段の計３箇所で排泄物収受袋を拘束することになるので、犬（動物）に装着された該排泄物収受袋はずれ動きにくく定位置に安定した形状を保つことができる。また犬（動物）の体毛に接着してしまうホルダーは、首輪の装着時に排泄物回収収受具のホルダーと干渉することがなく、犬（動物）の大きさや体形に影響されずに装着できるので、汎用性が高い。排便後、体毛に汚物が付着しないので、浴室で洗い流すなどの後処理を必要とせず、飼い主の精神的負担を減らすことができる排泄物回収収受具である。
【００２２】
請求項５、請求項６、請求項７において、便はレジ袋の底に堆積するので、便が犬（動物）の体に付着することがない排泄物回収収受具である。排泄後はレジ袋が便の重量で垂れ下がるので一目瞭然であり、排泄直後に処理することができる。排泄後は袋自体を縛って開口部を塞ぐことができるので、匂いが外気に放出されず素手のままで衛生的に処理することができて、形状的にも紙オムツのようにかさばらないので特別な保管容器を必要としない。室内や公共の場所を汚すことなく犬（動物）の便を回収し処理することができる排泄物回収収受具である。
【００２３】
請求項６の排泄物回収収受具において、四肢を挿通して被装する排泄物回収収受具でありながら、被係止部材位置の調節によって前肢と後肢の間に適度な張力を付与して装着することができるので、余分なたるみによって装着位置が不安定になったり、過度な張力が作用したりして犬（動物）に不快なストレスを加えることなどがなく、排泄物収受袋を定位置に安定して装着させることができる排泄物回収収受具である。
【００２４】
請求項８の排泄物回収収受具において、犬（動物）の左右前肢付根部を周回する一対のループ状下紐部材と、被係止手段として配設するナスカンと、該一対の下紐部材および該ナスカンを連架するループ状背部紐部材と、該ナスカンと一体あるいは該ナスカンに当接して配設し、背部紐部材のループを拡縮結束するループ拡縮結束手段と、背部紐部材あるいは下紐部材に接続分離可能な連結手段と、を設けてホルダーを構成したので、背部紐部材のループを拡縮結束することで被係止部材の位置が好適に調節される。単純で安価な部材の組み合わせである。犬（動物）の全身を覆ったり、密着したりすることがないので、夏場の環境で犬（動物）にストレスを加えにくい排泄物回収収受具である。
【図面の簡単な説明】
【００２５】
【図１】本発明の請求項１と請求項４に記載する排泄物収受袋の作成方法を示す実施例１の斜視図である。
【図２】排泄物収受袋を作成する前の公知のレジ袋の構造を示す斜視図である。
【図３】本発明の請求項２と請求項４に記載する排泄物収受袋の作成方法を示す実施例２の斜視図である。
【図４】請求項３に記載の排泄物収受袋の作成方法を示す実施例３の斜視図であると同時に、請求項５に記載の排泄物回収収受具の実施形態に係る実施例１を示す斜視図である。
【図５】本発明の請求項８に記載する排泄物回収収受具の実施形態に係る実施例２を示す説明図である。
【図６】本発明の請求項８に記載する排泄物回収収受具の実施形態に係る実施例２のホルダーの展開図である。
【図７】本発明の請求項５に記載する排泄物回収収受具の実施形態に係る実施例１の説明図である。
【図８】本発明の請求項７に記載する排泄物回収収受具の実施形態に係る実施例４の説明図である。
【図９】紐止め具の断面の説明図である。
【図１０】本発明の請求項２と請求項４に記載する排泄物収受袋の作成方法を示す実施例４の斜視図である。
【発明を実施するための形態】
【００２６】
レジ袋から簡単な方法で排泄物収受袋を作成し、排泄物収受袋を用いる排泄物回収収受具を犬（動物）に装着することによって便を回収する。以下、本発明の実施の形態を図面に基づいて説明する。
【００２７】
この排泄物収受袋２０の作成に用いるレジ袋は、図２に示すように合成樹脂シートチューブを原材料とし、該チューブの両側部を中折れさせてガゼット折り目２６Ａ，２６Ｂと稜線２９（Ｅ，Ｄ）、３０（Ｅ，Ｄ）を形成したのちにチューブ芯方向に所定間隔をおいてヒートシールし、ヒートシール箇所の外側を切断することで得られる。その際、上側のヒートシール部２３を中央部分で切り取って両側のヒートシール部２３Ａ，２３Ｂを残すことにより、上部開口２８を有し底部がヒートシール部２２となった袋本体２１と、上部開口２８の両側部から上方に延びる２つの手提げ輪部２４Ａ，２４Ｂとが形成される。また、手提げ輪部２４Ａ，２４Ｂはそれぞれ輪開口２５Ａ，２５Ｂを有している。図示する一方の側面３０の手提げ輪部２４Ａ，２４Ｂ間に存する開口縁部３０（Ａ，Ｂ）には舌片３０Ｃが形成され、図示する他方の側面２９の手提げ輪部２４Ａ，２４Ｂ間に存する開口縁部２９（Ａ，Ｂ）には舌片２９Ｃが形成されている。図示する寸法は関東規格３０号のレジ袋の場合の規定値である。当該寸法から該規格のレジ袋の上部開口２８を全開にして広げるときの周長は、全幅２６０ｍｍの２倍の数値にガゼット折り目幅の７０ｍｍの４倍の数値を加えた計８００ｍｍになる。かかるレジ袋としては、排泄物回収収受具専用に製造した袋のみならず、例えばスーパーマーケットなどで購入した商品を持ち帰る際に用いられるレジ袋を利用してもよい。
【００２８】
図１は、本発明請求項１のレジ袋から排泄物収受袋を作成する方法の実施例１の斜視図である。図１（ａ）は図２のレジ袋の一方の側面３０にガゼット折り目を設ける前の状態の斜視図であり、図１（ｂ）は図２のレジ袋の一方の側面３０にガゼット折り目を設けてレジ袋の上部開口を広げた状態の斜視図である。図２のレジ袋から請求項１に記載の図１（ｂ）の排泄物収受袋２０を作成する方法は、図１（ａ）に示すレジ袋の一方の側面３０の中央にガゼット折り目の中折れ線Ｑ１を設け、手提げ輪部２４（Ａ，Ｂ）の間の開口縁部３０（Ａ，Ｂ）近傍で稜線３０Ｅ、または稜線３０Ｄと中折れ線Ｑ１間の斜線部３０Ｇをヒートシールして図１（ｂ）のガゼット折り目Ｑ１を形成する。ガゼット折り目Ｑ１形成後の手提げ輪部２４（Ａ，Ｂ）は上部開口２８を広げることにより図１（ａ）の状態から反転してヒートシール部２３Ａ，２３Ｂは表裏が入れ替わっている。手提げ輪部２４（Ａ，Ｂ）の位置は図１（ｂ）の排泄物収受袋２０の幅Ｗ１の位置まで接近するので幅Ｗ１が犬（動物）の股間幅にフィットするよう考慮してレジ袋の規格サイズを適宜選定する。レジ袋の他方の側面２９の舌片２９Ｃ近傍に請求項４に記載の係合穴３３Ａを配設するためビニタイを結束して形成するリング状部材３３を粘着テープ３２で固設する（図１（ａ）参照）。また係止手段として請求項３に記載の剥離紙付き両面粘着テープ（図４参照）を用いてもよい。かかる方法で作られる排泄物収受袋２０では図２に示す寸法のレジ袋の場合、一方の側面の幅２６０ｍｍ分の周長がガゼット折り目Ｑ１により消滅しており上部開口２８の全周長は８００ｍｍから５４０ｍｍに減少する。よって関東規格３０号のレジ袋による排泄物収受袋２０を装着する犬（動物）の胴回りの周長Ｌ（図５（ａ）参照）は５４０ｍｍ以下でなければならないが、実用的には７０ｍｍほどの余裕を設けて略４７０ｍｍ以下が好適な数値となる。
【００２９】
図３は、本発明請求項２のレジ袋から排泄物収受袋を作成する方法の実施例２の斜視図である。図３（ａ）は図２のレジ袋の一方の側面３０に２か所のガゼット折り目を形成する中途段階での斜視図であり、図３（ｂ）は図２のレジ袋の一方の側面３０に２か所のガゼット折り目を形成し終えてレジ袋の上部開口を広げた状態の斜視図である。図３（ａ）において、レジ袋の一方の側面３０にガゼット折り目の中折れ線Ｓ１、Ｓ２で両側の稜線３０（Ｅ，Ｄ）を矢印Ｐ１、Ｐ２のごとく折り込んで２か所のガゼット折り目を設け、
舌片３０Ｃ近傍の斜線部３１をヒートシールする。中折れ線Ｓ１、Ｓ２はレジ袋の全幅２６０の４分の１すなわち稜線３０（Ｅ，Ｄ）から６５ｍｍの位置に設ける。かかる方法で作られる排泄物収受袋２０排泄物収受袋２０の他方の側面２９の舌片２９Ｃに請求項４の係合穴３３Ａとしてビニタイを結束して形成するリング状部材３３を粘着テープ３２で固設する。
【００３０】
図３（ｂ）において、手提げ輪部２４Ａ，２４Ｂはレジ袋外側の稜線３０（Ｅ，Ｄ）が内側になり幅Ｗ２の位置まで接近している。幅Ｗ１が犬（動物）の股間幅にフィットするよう考慮してレジ袋の大きさを適宜選択する。実施例１の排泄物収受袋２０に比べてガゼット折り目の幅が減少するので犬（動物）に装着するときガゼット折り目が邪魔になりにくい利点がある。
【００３１】
以下に、本発明の別の実施形態を図面に基づいて説明する。図４は図３（ａ）と同様の方法でガゼット折り目を設ける方法で作成した排泄物収受袋２０であり、レジ袋の他方の側面２９の開口縁部２９（Ａ，Ｂ）近傍に、請求項３に記載の係止部材として剥離紙付き両面粘着テープ３４を配設する排泄物収受袋２０の実施例３の作成方法である。また図４は排泄物収受袋２０単体でありながら排泄物回収収受具１の実施例１としての装着前の形態である。本発明の実施形態に係る排泄物回収収受具１の実施例１による装着の手順は、図４の一方の側面３０を下に他方の側面２９を上にして床に置き、犬（動物）の左の後肢を上部開口２８側から輪開口２５Ａに挿通し、右の後肢を輪開口２５Ｂ（図示しない）にそれぞれ挿通し、舌片２９Ｃを持ち上げながら犬（動物）の臀部を覆い、両面粘着テープ３４の剥離紙をはがして、犬（動物）の背部に直接貼り付けて（図７参照）装着することができる。
【００３２】
以下に、本発明の別の実施形態を図面に基づいて説明する。図５は、本発明請求項８に記載の実施形態に係る排泄物回収収受具１の実施例２の説明図である。図５（ａ）は図３の方法で作成した排泄物収受袋２０を犬（動物）に装着する排泄物回収収受具を示す説明図であり、図５（ｂ）は図５（ａ）の上方から見る説明図である。図５（ａ）において、ホルダー１０を犬（動物）２のキ甲５付近から周回して左右の前肢６を個々に挿通して被装しており、犬（動物）の背部に被係止手段として公知のナスカン１４を配設する。排泄物収受袋２０は犬（動物）の臀部４を覆い、一方の輪開口２５Ａに左後肢７を挿通しており、図５（ａ）の反対の側面では他方の輪開口２５Ｂ（図示しない）に右後肢を挿通する。図５（ｂ）によると排泄物収受袋２０の開口縁部２９Ａに連設して形成する舌片２９Ｃに固設するリング状部材３３を、ホルダー１０に配設する被係止手段のナスカン１４で係止して構成している。
【００３３】
図６は本発明の実施形態に係る排泄物回収収受具１の実施例２におけるホルダー１０の展開図であり、犬（動物）の左右前肢付根部を周回する一対のループ状下紐部材１１Ａ、１１Ｂと、被係止手段として公知のナスカン１４と、該下紐部材１１Ａ、１１Ｂおよび該ナスカンを連架するループ状背部紐部材１３と、前記下紐部材１１Ａ、１１Ｂに接続分離可能な連結手段として配設される公知のナスカン１２（Ａ，Ｂ）と、前記背部紐部材１３に配設されるループ拡縮結束手段の公知の紐止め具１５と、で構成している。図９は公知の紐止め具１５断面の説明図であり、紐止め具１５の穴に挿通して背部紐部材１３を結束し、バネ１５Ｃの力でスライド部材１５Ｂの穴１５Ｂ１と本体１５Ａの穴１５Ａ１の穴位置をずらすことによって背部紐部材１３のループを拡縮拘束する公知の構造である。ナスカン１４と紐止め具１５は同体にして構成することもできる。
【００３４】
本発明の実施形態に係る排泄物回収収受具１の実施例２の装着手順は、図６のホルダー１０の紐止め具１５を背部紐部材１３の端部１３（Ａ，Ｂ）側に引き寄せて背部紐部材１３のループ部分の長さを拡張し、下紐部材１１Ａ，１１Ｂの間隔を広げて図５（ａ）のように犬（動物）の左右の前肢を挿通する。該前肢挿通後に紐止め具１５から端部１３（Ａ，Ｂ）を引っぱり、下紐部材１１Ａ，１１Ｂの間隔を狭めて紐止め具１５で仮止めする。排泄物収受袋２０を実施例１と同様の手順で犬（動物）の臀部を覆い、ホルダー１０のナスカン１４で排泄物収受袋２０のリング状部材３３に形成される係合穴を係止する。再び紐止め具１５から端部１３（Ａ，Ｂ）を引っ張りながら背部紐部材１３のループ長さを縮小し、ナスカン１４の位置を前肢側に引き寄せることによってホルダー１０と排泄物収受袋２０の間にわずかに張力を生じる状態を創出し、背部紐部材１３に結び目１３Ｃを設けて紐止め具１５から抜け出ないように締着する。緊急時にホルダー１０を犬（動物）から外すことが必要なときは下紐部材１１Ａ，１１Ｂのナスカン１２Ａまたは１２Ｂのいずれかを外せば、背部紐部材１３の結び目１３Ｃを装着のつど結びなおす事態を回避できる。
【００３５】
以下に、本発明の別の実施形態を図面に基づいて説明する。図８は本発明の請求項７に記載の実施形態に係る排泄物回収収受具１の実施例３であり、被係止手段として両面粘着テープの被粘着面１０Ａを配設して犬（動物）の背部に常時装着するホルダー１０と、排便のつど係止手段の係合を解除して交換する実施例３の排泄物収受袋２０である。ホルダーの素材は通気性を確保するための繊維質の織物あるいは不織布と、両面粘着テープの被粘着性を確保するためのビニールシートを重ねて重着した複合素材であり、背部への接着は瞬間接着剤で犬（動物）の体毛の所定範囲を直接ホルダーに接着する。
【００３６】
図１０は本発明の請求項４に記載する排泄物収受袋の作成方法を示す他の実施例４の斜視図である。他の側面２９の舌片２９Ｃにドーナツ状シート３３を貼り付ける。便回収収受具１への装着時にドーナツ状シート３３の係合穴３３Ａを覆う舌片２９Ｃの皮膜を破って図６ホルダー１０のナスカン１４で係止する。
【００３７】
ホルダー側に図６のナスカン１４のかわりに目玉クリップで係止する排泄物回収収受具は、単に被係止手段の部材を変更したにすぎず本件請求の範囲内である。一方の側面のガゼット折り目をレジ袋の外に形成してガゼット折り目を欠成したり、該ガゼット折り目のかわりに舌片を含む開口縁部を縛着したりして、上部開口の周長を減少させて双方の手提げ輪部を近づけることは本件請求の範囲内である。請求項７の常時装着するホルダーについては、公知の犬（動物）用首輪に被係止手段を設けるなどさまざまな手法が考えられるが、左右の前肢を個々に挿通して被係止手段が定位置に配設されるホルダーはすべて本件請求の範囲内である。本件のガゼット折り目の形成はヒートシールのみならず、接着剤や両面テープを用いて形成することも本件請求の範囲内である。
【産業上の利用可能性】
【００３８】
犬（動物）の介護施設のみならず、さまざまな動物を公共の場所で披露したり、公道を移動させたりする際に排泄物回収収受具として適用できる。
【符号の説明】
【００３９】
１  排泄物回収収受具
２  犬（動物）
１０  ホルダー
１４  ナスカン
１５  紐止め具
２０  排泄物収受袋
２２  ヒートシール部
２３Ａ，２３Ｂ  ヒートシール部
２４Ａ，２４Ｂ  手提げ輪部
２８  上部開口
２９  他方の側面
２９Ｃ  他方の側面の舌片
２９Ｅ，Ｄ２９  他方の側面の稜線
３０  一方の側面
３０Ｃ  一方の側面の舌片
３０Ｅ，３０Ｄ  一方の側面の稜線
３１  斜線部
３３Ａ  係合穴
３４  剥離紙付き両面粘着テープ
Ｋ    ガゼット折り目の稜線の幅
Ｌ    犬（動物）の胴回りの周長
Ｐ１，Ｐ２  矢印
Ｑ１  ガゼット折り目の中折れ線
Ｓ１  ガゼット折り目の中折れ線
Ｓ２  ガゼット折り目の中折れ線
Ｗ１  手提げ輪部の外側の幅
Ｗ２  手提げ輪部の外側の幅
【手続補正３】
【補正対象書類名】図面
【補正対象項目名】図１
【補正方法】変更
【補正の内容】
【図１】
2016208932.tif 000012
【手続補正４】
【補正対象書類名】図面
【補正対象項目名】図３
【補正方法】変更
【補正の内容】
【図３】
2016208932.tif 000013
【手続補正５】
【補正対象書類名】図面
【補正対象項目名】図１０
【補正方法】追加
【補正の内容】
【図１０】
2016208932.tif 000014
【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
犬（動物）の左右の前肢を個々に挿通し、犬（動物）の背部中央付近に係止手段を配設し、該係止手段と前肢挿通部の間に介装して適度な張力を付与する張架手段を配設し、犬（動物）のキ甲付近を周回して巻装し、常時装着する巻装体と、合成樹脂フィルム袋の上部開口に犬（動物）の臀部を遊挿し、該開口縁部近傍に２か所の小穴を配設して左右の後肢を挿通し、該開口縁部の該２か所の小穴と対峙する方向に該係止手段と係合する被係止手段を配設し、排泄のつど係合部を着脱して交換する収受袋と、で構成する排泄物回収収受具。
【請求項２】
レジ袋の一方の側面を中折れさせてガゼットを形成し開口縁部近傍の所定範囲を熱融着して短縮成形することを特徴とする請求項１に記載の排泄物回収収受具の収受袋の作成方法。
【手続補正２】
【補正対象書類名】明細書
【補正対象項目名】全文
【補正方法】変更
【補正の内容】
【発明の詳細な説明】
【技術分野】
【０００１】
本発明は、犬（動物）用の排泄物回収収受具と収受袋の作成方法に関するものである。
【背景技術】
【０００２】
従来市販されている犬（動物）の紙オムツは、尿と便を外部に漏らさないようガードする構造であり、便だけを外部に出す時は、紙オムツの尻尾穴にある切り込み部分を切り取り、便を外部に出せるようになっている。これは、尿を吸収するという点においては問題がないように思われる。しかし便の場合、紙オムツの中にするか、外部に出すという選択肢があるが、いずれにしろ後始末に大きな問題が生じる。紙オムツの中で排便して犬（動物）の体毛に便が付いてしまうと浴室などで洗い流さなければならず、後始末に大変手間がかかる。
【先行技術文献】
【特許文献】
【０００３】
【特許文献１】特許公開２００５−１５１９６３
【特許文献２】特許公開２０１３−７０６９０
【発明の概要】
【発明が解決しようとする課題】
【０００４】
老犬の尿意は飼い主に把握できても、便意を把握することは難しく１日に数回排便する期間が長く継続する。特に室内犬のばあい、便を衛生的に処理できれば飼い主の精神的負担は激減する。しかしながら従来技術では次のような問題点があった。
（イ）尾の部分を逃がして後肢を出し、臀部を包み込むタイプの紙オムツは、きつく絞めすぎると犬に与えるストレスがおおきくなるので、ほどよく装着するには熟練と時間を要する難しい作業になる。尾の短い種類や尾が垂れ下がった種類の犬（動物）に装着するとずれ落ちやすく、装着後に外れる場合がある。尾の部分の逃がしが大きいと便が外部に漏れ出しやすくなる。
（ロ）紙オムツは排泄前か否か目視での判断が難しい。紙オムツの中で排泄すると犬（動物）の体毛に付着した汚物の後処理が面倒で不衛生である。使用済み紙オムツは異臭を放ち、形状的にかさばるため保管のために密閉式の容積の大きい特別な容器が必要になる。
（ハ）１日あたり４、５回交換が必要な乳児用と同等の犬（動物）用オムツを継続的に使用するとコスト負担が大きく、日常消費材として好適とは言い難い。
（ニ）四肢を挿通して犬（動物）の体全体を覆って装着する服の中に紙オムツを装着するものは、夏場の気温と湿度の高い環境では犬（動物）に与えるストレスが大きい。個体ごとに異なる四肢さらに尾の配置に最適な状態に製作することは困難であり、汎用性に乏しく高価になる。前肢挿通部と後肢挿通部間に直接張力が作用して犬（動物）の自由な動きが阻害されることがあり犬（動物）に加えられるストレスが大きい。
（ホ）特許公開２０１３−７０６９０のように、四肢を挿通し体全体を覆う服に設けたポケットに便を収受する袋を取り付けるものは、四肢の挿通穴の間隔が狭いと装着できず、広すぎると収受袋の位置が安定しない。
（へ）特許公開２００５−１５１９６３のように、紙オムツを切り欠いて収受袋を両面テープで装着するものは、紙オムツが動かないように犬の体に何らかの手段で固定しないかぎり、肛門と開口部の位置を一致させることは難しく、排泄される便を袋の内部に収納するのは困難である。
（ト）特許公開２０１３−７０６９０や特許公開２００５−１５１９６３の場合、装着時に肛門と開口部の位置を合わせても、排泄初期の便の重量で開口部の位置がずれることは避けられず、排泄される便を終始確実に収納することは困難である。
【０００５】
本発明は、上記した従来の問題点に鑑みてなされたものであって、四肢を挿通しながら犬（動物）の身体の自由度を拘束せず、個体差を柔軟に吸収する汎用性を備えた排泄物回収収受具であり、犬（動物）の体毛に便を付着させないで便尿を確実に収受する収受袋を設けて、該収受袋が敏速に着脱できる装着性に優れる排泄物回収収受具を提供することと、該収受袋をコストの少ないレジ袋を利用して作成する方法を提供することを目的とする。
【課題を解決するための手段】
【０００６】
請求項１では、犬（動物）の左右の前肢を個々に挿通し、犬（動物）の背部中央付近に係止手段を配設し、該係止手段と前肢挿通部の間に介装して適度な張力を付与する張架手段を配設し、犬（動物）のキ甲付近を周回して巻装し、常時装着する巻装体と、合成樹脂フィルム袋の上部開口に犬（動物）の臀部を遊挿し、該開口縁部近傍に２か所の小穴を配設して左右の後肢を挿通し、該開口縁部の該２か所の小穴と対峙する方向に該係止手段と係合する被係止手段を配設し、排便のつど係合部を着脱して交換する収受袋と、で構成する排泄物回収収受具とした。
【０００７】
請求項２では、レジ袋の一方の側面を中折れさせてガゼットを形成し、開口縁部近傍の所定範囲を熱融着して短縮成形することを特徴とする請求項１に記載の排泄物回収収受具の収受袋の作成方法とした。
【発明の効果】
【０００８】
請求項１の排泄物回収収受具において、収受袋は張架手段を介して前肢付け根部および後肢付け根部により適宜緊張状態で拘束されるので、ずれ動きにくく装着時の定位置に安定した形状を保つことができる。前肢付け根部と後肢付け根部間の張力は、前肢付け根部から背部中央付近の係止手段を結ぶ線と、係止手段から後肢付け根部を結ぶ線の「く」の字形に屈曲したベクトルで結ばれており、四肢を挿通し体全体を覆う服のように四肢が動く前後方向へのベクトルを生じない構造なので、前肢と後肢の自由な動きを阻害するストレスを与えにくい。収受袋で臀部全体を覆うので、肛門や尾との位置合わせを必要とせず、尾の逃がしの部分から漏れ出す恐れもない。装着時のたるみによって装着位置が不安定になったり、過度に締め付けて犬（動物）に不快なストレスを加えたりすることがなく、様々な個体差の犬（動物）への対応が容易で汎用性が高い。張架手段の調節は最初に巻装体を装着する際に行うだけでよく、紙オムツのように排泄のつど、時間をかけて適度な加減にフィットさせる丁寧な作業を必要としない。収受袋の着脱の際は被係止手段を係合解除する操作と、犬（動物）の後肢を挿抜する操作で敏速に着脱することができる排泄物回収収受具である。
【０００９】
請求項１の排泄物回収収受具において、排泄後の収受袋は便の重量で垂れ下がるので一目瞭然であり、排泄直後に処理することができて、排泄後の便が紙オムツのように長時間犬（動物）の体に接する状態を回避できるので衛生的である。排泄後に係合解除した収受袋はそのまま該袋の中間部付近を縛って密閉することができるので、匂いが外気に放出されず素手のままで適切に処理することができる。使用済みの密閉された収受袋は紙オムツのような密閉式の特別な保管容器を必要としない。巻装体の素材や形態として、冬は暖かく、夏は涼しい素材と形態を選択する自由度が高く、紙オムツのように犬（動物）の体に密着させたりしないので犬（動物）のストレスが少なくなる。収受袋は紙オムツと違って複数回の排便を収受することができる十分な容積が確保されている。収受袋の中に尿の吸収材を適量設置しておけば、雌犬（動物）の場合は便だけでなく尿まで回収することができる。収受袋は合成樹脂フィルム製で紙オムツより単純な構造なため消耗品として安価あり、様々な寸法形状への対応が容易で、様々な種類の犬（動物）に容易に対応することができる排泄物回収収受具である。
【００１０】
請求項２において、収受袋に市販のレジ袋を使用することができるので安価であり日常消費材として好適な収受袋の作成方法である。レジ袋はさまざまな規格サイズの製品が上市されており、犬（動物）の個体にフィットするものをショッピングセンターで安価に入手することができる。むろん日常の買い物で入手し、これまでごみとして廃棄してきたレジ袋を再利用することもできる。
【図面の簡単な説明】
【００１１】
【図１】本発明の請求項１に記載する排泄物回収収受具の実施形態に係る実施例１を示す説明図である。
【図２】図１を上方から見る説明図である。
【図３】本発明の請求項１に記載する排泄物回収収受具の実施形態に係る実施例１を犬（動物）に装着する前の巻装体の展開図である。
【図４】本発明の請求項１に記載する排泄物回収収受具の実施形態に係る実施例１を犬（動物）に装着する前の収受袋の斜視図である。
【図５】本発明の請求項２に記載する収受袋の作成方法の実施形態に係る実施例の斜視図である。
【図６】本発明の請求項２に記載する収受袋を作成する前の公知のレジ袋の構造を示す斜視図である。
【図７】本発明の請求項１に記載する排泄物回収収受具の実施形態に係る実施例１の紐止め具の断面の説明図である。
【図１】本発明の請求項１に記載する排泄物回収収受具の実施形態に係る実施例２を示す説明図である。
【発明を実施するための形態】
【００１２】
以下に、本発明の実施形態を図面に基づいて説明する。図１は、本発明請求項１に記載の実施形態に係る排泄物回収収受具１の実施例１の説明図である。図１において、巻装体１０を犬（動物）２のキ甲５付近から周回して左右の前肢６を個々に挿通して巻装し、犬（動物）の背部に係止手段として公知のナスカン１４を配設し、前肢挿通部と該係止手段の間に張架手段として背部紐部材１３を介装する。収受袋２０は犬（動物）の尾３と臀部４を覆い、２か所の小穴２５Ａ、２５Ｂに左右の後肢を個々に挿通し、リング状部材３３をナスカン１４で係止する。
【００１３】
図２は図１の排泄物回収収受具１の実施例を上方から見る説明図である。図２によると収受袋２０に被係止手段として配設するリング状部材３３の係合穴３３Ａを、巻装体１０に配設する係止手段のナスカン１４で係止して構成している。巻装体１０の背部紐部材１３はナスカン１２Ａとナスカン１２Ｂを連架し、係止手段のナスカン１４との間には結び目１３Ｃが形成される。
【００１４】
図３は図２の排泄物回収収受具１の実施例１における巻装体１０の犬（動物）に巻装する前の展開図である。犬（動物）の左右前肢付根部を周回する一対のループ状下紐部材１１Ａ、１１Ｂと、該ループ状下紐部材を連結する部材１１Ｃと、係止手段として公知のナスカン１４と、該下紐部材１１Ａ、１１Ｂおよびナスカン１４の間に介装される張架手段としてのループ状背部紐部材１３と、前記下紐部材１１Ａ、１１Ｂを背部紐部材１３と接続分離可能とするために配設される公知のナスカン１２（Ａ，Ｂ）と、前記ループ状背部紐部材１３の両端部１３Ａ、１３Ｂを挿通する公知の紐止め具１５と、で構成している。
【００１５】
図４は本発明請求項１に記載の実施形態に係る排泄物回収収受具１の実施例１における収受袋２０を犬（動物）に装着する前の斜視図である。合成樹脂フィルムの一方の側面３０と他方の側面２９の外周を上部開口２８を残してヒートシール２２して袋状に形成し、開口縁部３０Ａの周長は、装着する犬（動物）の胴回りの周長Ｌ（図１参照）に対して５０乃至１００ｍｍ程長めに形成する。犬（動物）の一方の側面３０に２か所の小穴２５Ａと２５Ｂを犬（動物）の股間幅Ｗ１に合わせて配設する。小穴２５Ａと２５Ｂと対峙する方向の他方の側面２９の開口縁部３０Ａ近傍に、ビニタイを捻って形成するリング状部材３３を粘着シート３２で貼着し請求項１に記載の被係止手段として係合穴３３Ａを配設する。
【００１６】
図７は公知の紐止め具１５断面の説明図であり、紐止め具１５の穴に背部紐部材１３の両端部１３Ａ、１３Ｂ（図３参照）を挿通して結束し、バネ１５Ｃの力でスライド部材１５Ｂの穴１５Ｂ１と本体１５Ａの穴１５Ａ１の穴位置をずらすことによって背部紐部材１３のループを拡縮拘束するものである。図３のナスカン１４と紐止め具１５は一体にして構成することも有り得る。
【００１７】
本発明請求項１に記載の実施形態に係る排泄物回収収受具１の実施例１の装着手順について説明する。図３のナスカン１２Ａまたはナスカン１２Ｂと背部紐部材１３の係合を解いて一旦巻装体の一部を分断し、下紐部材１１Ａ，１１Ｂを図１のように犬（動物）の下方から左右の前肢６を挿通した後、背部紐部材１３を犬（動物）のキ甲５付近に置き、分断したナスカン１２Ａまたはナスカン１２Ｂを再び係合して巻装する。収受袋２０の小穴２５（Ａ、Ｂ））に犬（動物）の左右後肢７を挿通した後で尾３と臀部４を覆い、巻装体１０のナスカン１４で収受袋２０のリング状部材３３に形成される係合穴３３Ａを係止する。紐止め具１５を緩めて端部１３（Ａ，Ｂ）を引っぱりながら背部紐部材１３のループ長さを調節し、ナスカン１４を前肢側に張架することによって巻装体１０と収受袋２０の間に張力を創出する。適度な張力が生じたところで背部紐部材１３に結び目１３Ｃを設けて紐止め具１５から抜け出ないように締着し、常時装着する巻装体１０の装着と排泄の都度交換する収受袋の装着が完成する。収受袋２０を交換する際の手順は、ナスカン１４を解除して装着時と逆の手順で外し、再び、左右後肢７を挿通した後で臀部４を覆い、巻装体１０のナスカン１４で収受袋２０の係合穴３３Ａを係止して装着すればよく、同じ寸法形状の収受袋２０の交換であれば張架手段の調節は必要としない。
【００１８】
図６は本発明の請求項２に記載する収受袋を作成する前の公知のレジ袋の構造を示す斜視図である。収受袋の作成に用いるレジ袋は、図６に示すように合成樹脂フィルムチューブを原材料とし、該チューブの両側部を中折れさせてガゼット２６Ａ，２６Ｂと稜線２９（Ｅ，Ｄ）、３０（Ｅ，Ｄ）を形成したのちにチューブ芯方向に所定間隔をおいてヒートシールし、ヒートシール箇所の外側を切断することで得られる。その際、上側のヒートシール部２３を中央部分で切り取って両側のヒートシール部２３Ａ，２３Ｂを残すことにより、上部開口２８を有し底部がヒートシール部２２となった袋本体２１と、上部開口２８の両側部から上方に延びる２つの手提げ輪部２４Ａ，２４Ｂとが形成される。また、手提げ輪部２４Ａ，２４Ｂはそれぞれ小穴２５Ａ，２５Ｂを有している。図示する一方の側面３０の手提げ輪部２４Ａ，２４Ｂ間に存する開口縁部３０（Ａ，Ｂ）には舌片３０Ｃが形成され、図示する他方の側面２９の手提げ輪部２４Ａ，２４Ｂ間に存する開口縁部２９（Ａ，Ｂ）には舌片２９Ｃが形成されている。図示する寸法は関東規格３０号のレジ袋の場合の規定値である。当該寸法から該規格のレジ袋の上部開口２８を全開にして広げるときの周長は、全幅２６０ｍｍの２倍の数値にガゼット幅の７０ｍｍの４倍の数値を加えた計８００ｍｍになる。
【００１９】
図５は、本発明請求項２に記載のレジ袋から収受袋を作成する方法の実施例の斜視図である。図５（ａ）は図２のレジ袋の一方の側面３０に２か所のガゼットを形成する中途段階での斜視図であり、図５（ｂ）は図６のレジ袋の一方の側面３０に２か所のガゼットを形成して熱融着し短縮成形し終えたレジ袋の上部開口を広げることにより、手提げ輪部２４（Ａ，Ｂ）の表裏が図５（ａ）の状態から反転してヒートシール部２３Ａ，２３Ｂが小穴２５Ａ，２５Ｂの内側に入れ替わった状態を示す斜視図である。図６（ａ）において、レジ袋の一方の側面３０にガゼットの中折れ線Ｓ１、Ｓ２で両側の稜線３０（Ｅ，Ｄ）を矢印Ｐ１、Ｐ２のごとく折り込んで２か所のガゼットを設け、舌片３０Ｃ近傍の斜線部３１を熱融着する。中折れ線Ｓ１、Ｓ２はレジ袋の全幅２６０の４分の１すなわち稜線３０（Ｅ，Ｄ）から６５ｍｍの位置に設ける。かかる方法で作られる収受袋２０では図６に示す寸法のレジ袋の場合、ガゼット幅６５ｍｍの４倍の数値即ち幅２６０ｍｍ分の周長が消滅し、上部開口２８の全周長は８００ｍｍから２６０ｍｍを差し引いた５４０ｍｍに減少する。よって関東規格３０号（関西規格４０号）のレジ袋による収受袋２０を装着する犬（動物）の胴回りの周長Ｌ（図１参照）は５４０ｍｍ以下でなければならないが、実用的には５０乃至１００ｍｍほどの余裕を設けた値が好適な数値となる。
【００２０】
図５（ｂ）において、レジ袋外側の稜線３０（Ｅ，Ｄ）が互いに接する位置で熱融着したことにより、手提げ輪部２４（Ａ，Ｂ）に形成されて犬（動物）の前肢を挿通する２か所の小穴２５Ａ、２５Ｂ（図５（ａ）参照）の位置は図５（ｂ）の幅Ｗ２の位置まで接近する。関東規格３０号のレジ袋の場合略１００ｍｍほどになるが、幅Ｗ２があまり大きくなるとたるみを生じて犬（動物）の後肢股間から便が漏れ出す可能性が高くなるので、股間幅にフィットするよう考慮してガゼットの位置を調整する。かかる方法で作られる収受袋２０の他方の側面２９の舌片２９Ｃに補強用の粘着シート３２を貼着したあと被係止手段として係合穴３３Ａを加工する。
【００２１】
図８は、本発明請求項１に記載の実施形態に係る排泄物回収収受具１の実施例２の説明図である。図２の巻装体１０のループ状下紐部材１１Ａ、１１Ｂは、図８において一枚の布地に一定量の伸縮性を付与して巻装しており、ナスカン１４を背部紐部材１３で張架し、前肢６の挿通穴を設けて構成する。収受袋２０は図５のレジ袋から作成する請求項２に記載する方法で作成するものであり、図５の係合穴３３Ａにナスカン１４で係止装着する図である。巻装体１０の伸縮性で張架手段を兼ねることにより背部紐部材１３を省略する構成も有り得る。
【００２２】
レジ袋のガゼットの形成は熱融着のみならず、接着剤や両面テープを用いて形成することも本件請求の範囲内である。張架手段を収受袋の方に配設することは本発明から容易に想起し得るものであり、本発明の請求項１の範囲内である。
【産業上の利用可能性】
【００２３】
犬（動物）の介護施設のみならず、犬（動物）をイベントで披露したり、公道を移動させたり、旅行先に同伴する際に排泄物回収収受具として適用できるため、ペットを従来より人間の日常生活に近づけることができて、ペット文化ひいてはペット産業の発展に貢献する。合成樹脂フィルム製の収受袋は印刷に適しており、街中で露出される場合は宣伝広告媒体としての応用も可能である。
【符号の説明】
【００２４】
１  排泄物回収収受具
２  犬（動物）
３  尾
４  臀部
５  キ甲
６  前肢
７  後肢
１０  巻装体
１４  ナスカン
１５  紐止め具
２０  収受袋
２２  ヒートシール部
２８  上部開口
２９  他方の側面
３０  一方の側面
３３Ａ  係合穴
Ｌ    犬（動物）の胴回りの周長
Ｐ１，Ｐ２  矢印
Ｓ１  ガゼットの中折れ線
Ｓ２  ガゼットの中折れ線
Ｗ１  ２か所の小穴を配置する幅
Ｗ２  ２か所の小穴を配置する幅
【手続補正３】
【補正対象書類名】図面
【補正対象項目名】全図
【補正方法】変更
【補正の内容】
【図１】
2016208932.tif 000015
【図２】
2016208932.tif 000016
【図３】
2016208932.tif 000017
【図４】
2016208932.tif 000018
【図５】
2016208932.tif 000019
【図６】
2016208932.tif 000020
【図７】
2016208932.tif 000021
【図８】
2016208932.tif 000022
【手続補正書】
【提出日】平成28年3月7日(2016.3.7)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】
本発明は、犬（動物）用の排泄物回収収受具と収受袋の作成方法に関するものである。
【背景技術】
【０００２】
従来市販されている犬（動物）の紙オムツは、尿と便を外部に漏らさないようガードする構造であり、便だけを外部に出す時は、紙オムツの尻尾穴にある切り込み部分を切り取り、便を外部に出せるようになっている。これは、尿を吸収するという点においては問題がないように思われる。しかし便の場合、紙オムツの中にするか、外部に出すという選択肢があるが、いずれにしろ後始末に大きな問題が生じる。紙オムツの中で排便して犬（動物）の体毛に便が付いてしまうと浴室などで洗い流さなければならず、後始末に大変手間がかかる。
【先行技術文献】
【特許文献】
【０００３】
【特許文献１】特許公開２００５−１５１９６３
【特許文献２】特許公開２０１３−７０６９０
【発明の概要】
【発明が解決しようとする課題】
【０００４】
老犬の尿意は飼い主に把握できても、便意を把握することは難しく１日に数回排便する期間が長く継続する。特に室内犬のばあい、便を衛生的に処理できれば飼い主の精神的負担は激減する。しかしながら従来技術では次のような問題点があった。
（イ）尾の部分を逃がして後肢を出し、臀部を包み込むタイプの紙オムツは、きつく絞めすぎると犬に与えるストレスがおおきくなるので、ほどよく装着するには熟練と時間を要する難しい作業になる。尾の短い種類や尾が垂れ下がった種類の犬（動物）に装着するとずれ落ちやすく、装着後に外れる場合がある。尾の部分の逃がしが大きいと便が外部に漏れ出しやすくなる。
（ロ）紙オムツは排泄前か否か目視での判断が難しい。紙オムツの中で排泄すると犬（動物）の体毛に付着した汚物の後処理が面倒で不衛生である。使用済み紙オムツは異臭を放ち、形状的にかさばるため保管のために密閉式の容積の大きい特別な容器が必要になる。
（ハ）１日あたり４、５回交換が必要な乳児用と同等の犬（動物）用オムツを継続的に使用するとコスト負担が大きく、日常消費材として好適とは言い難い。
（ニ）四肢を挿通して犬（動物）の体全体を覆って装着する服の中に紙オムツを装着するものは、夏場の気温と湿度の高い環境では犬（動物）に与えるストレスが大きい。個体ごとに異なる四肢さらに尾の配置に最適な状態に製作することは困難であり、汎用性に乏しく高価になる。前肢挿通部と後肢挿通部間に直接張力が作用して犬（動物）の自由な動きが阻害されることがあり犬（動物）に加えられるストレスが大きい。
（ホ）特許公開２０１３−７０６９０のように、四肢を挿通し体全体を覆う服に設けたポケットに便を収受する袋を取り付けるものは、四肢の挿通穴の間隔が狭いと装着できず、広すぎると収受袋の位置が安定しない。
（へ）特許公開２００５−１５１９６３のように、紙オムツを切り欠いて収受袋を両面テープで装着するものは、紙オムツが動かないように犬の体に何らかの手段で固定しないかぎり、肛門と開口部の位置を一致させることは難しく、排泄される便を袋の内部に収納するのは困難である。
（ト）特許公開２０１３−７０６９０や特許公開２００５−１５１９６３の場合、装着時に肛門と開口部の位置を合わせても、排泄初期の便の重量で開口部の位置がずれることは避けられず、排泄される便を終始確実に収納することは困難である。
【０００５】
本発明は、上記した従来の問題点に鑑みてなされたものであって、四肢を挿通しながら犬（動物）の身体の自由度を拘束せず、個体差を柔軟に吸収する汎用性を備えた排泄物回収収受具であり、犬（動物）の体毛に便を付着させないで便尿を確実に収受する収受袋を設けて、該収受袋が敏速に着脱できる装着性に優れる排泄物回収収受具を提供することと、該収受袋をコストの少ないレジ袋を利用して作成する方法を提供することを目的とする。
【課題を解決するための手段】
【０００６】
請求項１では、犬（動物）の左右の前肢を個々に挿通し、犬（動物）の背部中央付近に係止手段を配設し、該係止手段と前肢挿通部の間に介装して適度な張力を付与する張架手段を配設し、犬（動物）のキ甲付近を周回して巻装し、常時装着する巻装体と、合成樹脂フィルム袋の上部開口に犬（動物）の臀部を遊挿し、該開口縁部近傍に２か所の小穴を配設して左右の後肢を挿通し、該開口縁部の該２か所の小穴と対峙する方向に該係止手段と係合する被係止手段を配設し、排便のつど係合部を着脱して交換する収受袋と、で構成する排泄物回収収受具とした。
【０００７】
請求項２では、レジ袋の一方の側面を中折れさせてガゼットを形成し、開口縁部近傍の所定範囲を熱融着して短縮成形することを特徴とする請求項１に記載の排泄物回収収受具の収受袋の作成方法とした。
【発明の効果】
【０００８】
請求項１の排泄物回収収受具において、収受袋は張架手段を介して前肢付け根部および後肢付け根部により適宜緊張状態で拘束されるので、ずれ動きにくく装着時の定位置に安定した形状を保つことができる。前肢付け根部と後肢付け根部間の張力は、前肢付け根部から背部中央付近の係止手段を結ぶ線と、係止手段から後肢付け根部を結ぶ線の「く」の字形に屈曲したベクトルで結ばれており、四肢を挿通し体全体を覆う服のように四肢が動く前後方向へのベクトルを生じない構造なので、前肢と後肢の自由な動きを阻害するストレスを与えにくい。収受袋で臀部全体を覆うので、肛門や尾との位置合わせを必要とせず、尾の逃がしの部分から漏れ出す恐れもない。装着時のたるみによって装着位置が不安定になったり、過度に締め付けて犬（動物）に不快なストレスを加えたりすることがなく、様々な個体差の犬（動物）への対応が容易で汎用性が高い。張架手段の調節は最初に巻装体を装着する際に行うだけでよく、紙オムツのように排泄のつど、時間をかけて適度な加減にフィットさせる丁寧な作業を必要としない。収受袋の着脱の際は被係止手段を係合解除する操作と、犬（動物）の後肢を挿抜する操作で敏速に着脱することができる排泄物回収収受具である。
【０００９】
請求項１の排泄物回収収受具において、排泄後の収受袋は便の重量で垂れ下がるので一目瞭然であり、排泄直後に処理することができて、排泄後の便が紙オムツのように長時間犬（動物）の体に接する状態を回避できるので衛生的である。排泄後に係合解除した収受袋はそのまま該袋の中間部付近を縛って密閉することができるので、匂いが外気に放出されず素手のままで適切に処理することができる。使用済みの密閉された収受袋は紙オムツのような密閉式の特別な保管容器を必要としない。巻装体の素材や形態として、冬は暖かく、夏は涼しい素材と形態を選択する自由度が高く、紙オムツのように犬（動物）の体に密着させたりしないので犬（動物）のストレスが少なくなる。収受袋は紙オムツと違って複数回の排便を収受することができる十分な容積が確保されている。収受袋の中に尿の吸収材を適量設置しておけば、雌犬（動物）の場合は便だけでなく尿まで回収することができる。収受袋は合成樹脂フィルム製で紙オムツより単純な構造なため消耗品として安価あり、様々な寸法形状への対応が容易で、様々な種類の犬（動物）に容易に対応することができる排泄物回収収受具である。
【００１０】
請求項２において、収受袋に市販のレジ袋を使用することができるので安価であり日常消費材として好適な収受袋の作成方法である。レジ袋はさまざまな規格サイズの製品が上市されており、犬（動物）の個体にフィットするものをショッピングセンターで安価に入手することができる。むろん日常の買い物で入手し、これまでごみとして廃棄してきたレジ袋を再利用することもできる。
【図面の簡単な説明】
【００１１】
【図１】本発明の請求項１に記載する排泄物回収収受具の実施形態に係る実施例１を示す説明図である。
【図２】図１を上方から見る説明図である。
【図３】本発明の請求項１に記載する排泄物回収収受具の実施形態に係る実施例１を犬（動物）に装着する前の巻装体の展開図である。
【図４】本発明の請求項１に記載する排泄物回収収受具の実施形態に係る実施例１を犬（動物）に装着する前の収受袋の斜視図である。
【図５】本発明の請求項２に記載する収受袋の作成方法の実施形態に係る実施例の斜視図である。
【図６】本発明の請求項２に記載する収受袋を作成する前の公知のレジ袋の構造を示す斜視図である。
【図７】本発明の請求項１に記載する排泄物回収収受具の実施形態に係る実施例１の紐止め具の断面の説明図である。
【図８】本発明の請求項１に記載する排泄物回収収受具の実施形態に係る実施例２を示す説明図である。
【発明を実施するための形態】
【００１２】
以下に、本発明の実施形態を図面に基づいて説明する。図１は、本発明請求項１に記載の実施形態に係る排泄物回収収受具１の実施例１の説明図である。図１において、巻装体１０を犬（動物）２のキ甲５付近から周回して左右の前肢６を個々に挿通して巻装し、犬（動物）の背部に係止手段として公知のナスカン１４を配設し、前肢挿通部と該係止手段の間に張架手段として背部紐部材１３を介装する。収受袋２０は犬（動物）の尾３と臀部４を覆い、２か所の小穴２５Ａ、２５Ｂに左右の後肢を個々に挿通し、リング状部材３３をナスカン１４で係止する。
【００１３】
図２は図１の排泄物回収収受具１の実施例を上方から見る説明図である。図２によると収受袋２０に被係止手段として配設するリング状部材３３の係合穴３３Ａを、巻装体１０に配設する係止手段のナスカン１４で係止して構成している。巻装体１０の背部紐部材１３はナスカン１２Ａとナスカン１２Ｂを連架し、係止手段のナスカン１４との間には結び目１３Ｃが形成される。
【００１４】
図３は図２の排泄物回収収受具１の実施例１における巻装体１０の犬（動物）に巻装する前の展開図である。犬（動物）の左右前肢付根部を周回する一対のループ状下紐部材１１Ａ、１１Ｂと、該ループ状下紐部材を連結する部材１１Ｃと、係止手段として公知のナスカン１４と、該下紐部材１１Ａ、１１Ｂおよびナスカン１４の間に介装される張架手段としてのループ状背部紐部材１３と、前記下紐部材１１Ａ、１１Ｂを背部紐部材１３と接続分離可能とするために配設される公知のナスカン１２（Ａ，Ｂ）と、前記ループ状背部紐部材１３の両端部１３Ａ、１３Ｂを挿通する公知の紐止め具１５と、で構成している。
【００１５】
図４は本発明請求項１に記載の実施形態に係る排泄物回収収受具１の実施例１における収受袋２０を犬（動物）に装着する前の斜視図である。合成樹脂フィルムの一方の側面３０と他方の側面２９の外周を、上部開口２８を残してヒートシール２２して袋状に形成し、開口縁部３０Ａの周長は、装着する犬（動物）の胴回りの周長Ｌ（図１参照）に対して５０乃至１００ｍｍ程長めに形成する。犬（動物）の一方の側面３０に２か所の小穴２５Ａと２５Ｂを犬（動物）の股間幅Ｗ１に合わせて配設する。小穴２５Ａと２５Ｂと対峙する方向の他方の側面２９の開口縁部３０Ａ近傍に、ビニタイを捻って形成するリング状部材３３を粘着シート３２で貼着し請求項１に記載の被係止手段として係合穴３３Ａを配設する。
【００１６】
図７は公知の紐止め具１５断面の説明図であり、紐止め具１５の穴に背部紐部材１３の両端部１３Ａ、１３Ｂ（図３参照）を挿通して結束し、バネ１５Ｃの力でスライド部材１５Ｂの穴１５Ｂ１と本体１５Ａの穴１５Ａ１の穴位置をずらすことによって背部紐部材１３のループを拡縮拘束するものである。図３のナスカン１４と紐止め具１５は一体にして構成することも有り得る。
【００１７】
本発明請求項１に記載の実施形態に係る排泄物回収収受具１の実施例１の装着手順について説明する。図３のナスカン１２Ａまたはナスカン１２Ｂと背部紐部材１３の係合を解いて一旦巻装体の一部を分断し、下紐部材１１Ａ，１１Ｂを図１のように犬（動物）の下方から左右の前肢６を挿通した後、背部紐部材１３を犬（動物）のキ甲５付近に置き、分断したナスカン１２Ａまたはナスカン１２Ｂを再び係合して巻装する。収受袋２０の小穴２５（Ａ、Ｂ））に犬（動物）の左右後肢７を挿通した後で尾３と臀部４を覆い、巻装体１０のナスカン１４で収受袋２０のリング状部材３３に形成される係合穴３３Ａを係止する。紐止め具１５を緩めて端部１３（Ａ，Ｂ）を引っぱりながら背部紐部材１３のループ長さを調節し、ナスカン１４を前肢側に張架することによって巻装体１０と収受袋２０の間に張力を創出する。適度な張力が生じたところで背部紐部材１３に結び目１３Ｃを設けて紐止め具１５から抜け出ないように締着し、常時装着する巻装体１０の装着と排泄の都度交換する収受袋の装着が完成する。収受袋２０を交換する際の手順は、ナスカン１４を解除して装着時と逆の手順で外し、再び、左右後肢７を挿通した後で臀部４を覆い、巻装体１０のナスカン１４で収受袋２０の係合穴３３Ａを係止して装着すればよく、同じ寸法形状の収受袋２０の交換であれば張架手段の調節は必要としない。
【００１８】
図６は本発明の請求項２に記載する収受袋を作成する前の公知のレジ袋の構造を示す斜視図である。収受袋の作成に用いるレジ袋は、図６に示すように合成樹脂フィルムチューブを原材料とし、該チューブの両側部を中折れさせてガゼット２６Ａ，２６Ｂと稜線２９（Ｅ，Ｄ）、３０（Ｅ，Ｄ）を形成したのちにチューブ芯方向に所定間隔をおいてヒートシールし、ヒートシール箇所の外側を切断することで得られる。その際、上側のヒートシール部２３を中央部分で切り取って両側のヒートシール部２３Ａ，２３Ｂを残すことにより、上部開口２８を有し底部がヒートシール部２２となった袋本体２１と、上部開口２８の両側部から上方に延びる２つの手提げ輪部２４Ａ，２４Ｂとが形成される。また、手提げ輪部２４Ａ，２４Ｂはそれぞれ小穴２５Ａ，２５Ｂを有している。図示する一方の側面３０の手提げ輪部２４Ａ，２４Ｂ間に存する開口縁部３０（Ａ，Ｂ）には舌片３０Ｃが形成され、図示する他方の側面２９の手提げ輪部２４Ａ，２４Ｂ間に存する開口縁部２９（Ａ，Ｂ）には舌片２９Ｃが形成されている。図示する寸法は関東規格３０号のレジ袋の場合の規定値である。当該寸法から該規格のレジ袋の上部開口２８を全開にして広げるときの周長は、全幅２６０ｍｍの２倍の数値にガゼット幅の７０ｍｍの４倍の数値を加えた計８００ｍｍになる。
【００１９】
図５は、本発明請求項２に記載のレジ袋から収受袋を作成する方法の実施例の斜視図である。図５（ａ）は図２のレジ袋の一方の側面３０に２か所のガゼットを形成する中途段階での斜視図であり、図５（ｂ）は図６のレジ袋の一方の側面３０に２か所のガゼットを形成して熱融着し短縮成形し終えたレジ袋の上部開口を広げることにより、手提げ輪部２４（Ａ，Ｂ）の表裏が図５（ａ）の状態から反転してヒートシール部２３Ａ，２３Ｂが小穴２５Ａ，２５Ｂの内側に入れ替わった状態を示す斜視図である。図６（ａ）において、レジ袋の一方の側面３０にガゼットの中折れ線Ｓ１、Ｓ２で両側の稜線３０（Ｅ，Ｄ）を矢印Ｐ１、Ｐ２のごとく折り込んで２か所のガゼットを設け、舌片３０Ｃ近傍の斜線部３１を熱融着する。中折れ線Ｓ１、Ｓ２はレジ袋の全幅２６０の４分の１すなわち稜線３０（Ｅ，Ｄ）から６５ｍｍの位置に設ける。かかる方法で作られる収受袋２０では図６に示す寸法のレジ袋の場合、ガゼット幅６５ｍｍの４倍の数値即ち幅２６０ｍｍ分の周長が消滅し、上部開口２８の全周長は８００ｍｍから２６０ｍｍを差し引いた５４０ｍｍに減少する。よって関東規格３０号（関西規格４０号）のレジ袋による収受袋２０を装着する犬（動物）の胴回りの周長Ｌ（図１参照）は５４０ｍｍ以下でなければならないが、実用的には５０乃至１００ｍｍほどの余裕を設けた値が好適な数値となる。
【００２０】
図５（ｂ）において、レジ袋外側の稜線３０（Ｅ，Ｄ）が互いに接する位置で熱融着したことにより、手提げ輪部２４（Ａ，Ｂ）に形成されて犬（動物）の前肢を挿通する２か所の小穴２５Ａ、２５Ｂ（図５（ａ）参照）の位置は図５（ｂ）の幅Ｗ２の位置まで接近する。関東規格３０号のレジ袋の場合略１００ｍｍほどになるが、幅Ｗ２があまり大きくなるとたるみを生じて犬（動物）の後肢股間から便が漏れ出す可能性が高くなるので、股間幅にフィットするよう考慮してガゼットの位置を調整する。かかる方法で作られる収受袋２０の他方の側面２９の舌片２９Ｃに補強用の粘着シート３２を貼着したあと被係止手段として係合穴３３Ａを加工する。
【００２１】
図８は、本発明請求項１に記載の実施形態に係る排泄物回収収受具１の実施例２の説明図である。図２の巻装体１０のループ状下紐部材１１Ａ、１１Ｂは、図８において一枚の布地に一定量の伸縮性を付与して巻装しており、ナスカン１４を背部紐部材１３で張架し、前肢６の挿通穴を設けて構成する。収受袋２０は図５のレジ袋から作成する請求項２に記載する方法で作成するものであり、図５の係合穴３３Ａにナスカン１４で係止装着する図である。巻装体１０の伸縮性で張架手段を兼ねることにより背部紐部材１３を省略する構成も有り得る。
【００２２】
レジ袋のガゼットの形成は熱融着のみならず、接着剤や両面テープを用いて形成することも本件請求の範囲内である。張架手段を収受袋の方に配設することは本発明から容易に想起し得るものであり、本発明の請求項１の範囲内である。
【産業上の利用可能性】
【００２３】
犬（動物）の介護施設のみならず、犬（動物）をイベントで披露したり、公道を移動させたり、旅行先に同伴する際に排泄物回収収受具として適用できるため、ペットを従来に比べて人間の日常生活に近づけることができて、ペット文化ひいてはペット産業の発展に貢献する。合成樹脂フィルム製の収受袋は印刷に適しており、街中で露出される場合は宣伝広告媒体としての応用も可能である。
【符号の説明】
【００２４】
１  排泄物回収収受具
２  犬（動物）
３  尾
４  臀部
５  キ甲
６  前肢
７  後肢
１０  巻装体
１４  ナスカン
１５  紐止め具
２０  収受袋
２２  ヒートシール部
２８  上部開口
２９  他方の側面
３０  一方の側面
３３Ａ  係合穴
Ｌ    犬（動物）の胴回りの周長
Ｐ１，Ｐ２  矢印
Ｓ１  ガゼットの中折れ線
Ｓ２  ガゼットの中折れ線
Ｗ１  ２か所の小穴を配置する幅
Ｗ２  ２か所の小穴を配置する幅